(57)【要約】【課題】この考案は、事務用又は家庭用の袋体の外面の全面又は一部に剥離シールを形成した剥離シール付き袋体を提供する。【解決手段】離型紙と、絵柄、文字、記号を表示してなるシールシートとを、粘着剤を介して貼着せられてなる多層紙により袋体を構成し、該袋体の絵柄、文字、記号等の表示部の外郭縁をハーフカットして剥離可能な貼着シールとした。【選択図】        図３
0003107309.tif 000002
【実用新案登録請求の範囲】
【請求項１】
離型紙と、絵柄、文字、記号を表示してなるシールシートとを、粘着剤を介して貼着せられてなる多層紙により袋体を構成し、該袋体の絵柄、文字、記号等の表示部の外郭縁をハーフカットして剥離可能な貼着シールとしたことを特徴とする貼着シール付き袋体。
【請求項２】
粘着剤は、アクリル系エマルジョン型の粘着剤である請求項１記載の貼着シール付き袋体。
【請求項３】
袋体は封筒である請求項１記載の剥離シール付き袋体。
【請求項４】
袋体はポチ袋である請求項１記載の剥離シール付き袋体。
【請求項５】
袋体は保存用の袋である請求項１記載の剥離シール付き袋体。
【考案の詳細な説明】
【技術分野】
【０００１】この考案は、事務用又は家庭用の袋体の外面の全面又は一部に剥離シールを形成した剥離シール付き袋体に関する。
【背景技術】
【０００２】従来、事務用又は家庭用の袋体として、外面に各種の絵柄、文字が表現されているポチ袋、祝儀袋、各種の封筒、収納袋であるが、これらの袋体は、例えばポチ袋（お年玉袋）を中身であるお年玉を取り出した後には、廃棄されるのが通例である。
又、貼着シールとしては従来、図７に示すように離型紙の上面に、表面に複数の図柄を施した剥離可能な貼着シールａは提供されている。又、一枚のシールシートの中で、剥離可能とした複数のシールを自分の練習に係る特定のゴルフボールに貼ることにより、ゴルフの練習をゲーム化するようにしたものはある。（例えば、特許文献１参照）【０００３】
【特許文献１】実用新案登録第３０７９３４６号（第３図）
【考案の開示】
【考案が解決しようとする課題】
【０００４】貰ったり、送られたりするこれらの袋体の外面に表された絵柄、文字が剥離可能なシールになっておれば、必要に応じてこれらの表面に表された絵柄、文字等の表示部を任意に剥離して各自の好みの場所に貼着して楽しむことができれば、これらの袋体自体も付加価値のある商品となる。
【課題を解決するための手段】
【０００５】上記の課題を解決するために、請求項１の考案では、離型紙と絵柄、文字、記号を表示してなるシールシートとを粘着剤を介して貼着せられてなる多層紙により形成されてなる袋体で構成され、該袋体の絵柄、文字、記号等の表示部の外郭縁をハーフカットして剥離可能な粘着シールとしたことにより、粘着シール部を使用者の好みの場所に貼着するシールとして楽しむことができる。【０００６】請求項２の考案では、粘着剤は、アクリル系エマルジョン型の粘着剤であるので、粘着シール部としての利用が広範囲に可能になる。【０００７】請求項３の考案では、袋体は封筒であるので、通常では封筒として用いることができると共に、表面に表された表示部のみを剥がして、これをシールとすることができる。【０００８】請求項４の考案では、袋体はポチ袋であるであるので、通常ではポチ袋として用いることができると共に、表面に表された表示部表面のみを剥がして、これをシールとすることができる。【０００９】請求項５の考案では、袋体は保存用の袋であるあるので、通常では保存用の袋として用いることができると共に、表面に表された表示部のみを剥がして、これをシールとすることができる。
【考案の効果】
【００１０】この考案は、離型紙と、絵柄、文字、記号を表示してなるシールシートとからなる多層紙により形成されてなる袋体で構成さ、該袋体の絵柄、文字、記号等の表示部の外郭縁をハーフカットして剥離可能な貼着シール部とした貼着シール付き袋体としてあるので、美しい袋体としての役目を全うした後に、袋体の絵柄、文字、記号等の外郭縁をハーフカットして剥離可能な貼着シールのみを二次的に利用できるようにしてあるので貼着シールを使用者が自由にそれを使用することができる。
【考案を実施するための最良の形態】
【００１１】この考案は、離型紙と、絵柄、文字、記号を表示してなるシールシートとを粘着剤を介して貼着せられてなる多層紙により形成されてなる袋体でであって、該袋体の絵柄、文字、記号等の表示部の外郭縁をハーフカットして剥離可能な貼着シールとしてある。
【実施例１】
【００１２】図１〜図６において、封筒、ポチ袋、保存用の袋等の袋体１は、基本的には離型紙２の表面側に剥離自在の粘着剤３を介して更に、その上層にシート体４が貼着された多層シートにより形成されている。最上層のシート体４にはキャラクター等の絵柄、文字、記号等の表示部５が通常は印刷手段によってあらわされている。各表示部５の外郭縁をハーフカット６することにより表示部５は貼着シールａとしてそれ自体剥離自在となるものである。【００１３】即ち、図３に示すように、ハーフカット６の一端部より捲り片ｃを指先又はピンセットにて表示部５は貼着シールａを離型紙２から順次に剥離すれば、表面には表示部５を有する貼着シールａの裏面側には剥離自在の粘着剤３となっているので、使用者は、前記封筒、ポチ袋、保存用の袋等の袋体１から貼着シールａを手紙、ノート、スケジュール表、定期券入れ、その他の被貼着面ｂに貼着して絵柄、文字、記号等の表示部５の図柄等を楽しむことができる。【００１４】即ち、封筒、ポチ袋、保存用の袋等の袋体１をまずそれぞれの用途に使用した後、その表示部５からなる貼着シールａのみを剥がして、使用者はこれを任意の場所に貼着することができる。即ち、貼着シールａは、その下面に粘着剤３が付着せられているので、使用者の好みの被貼着面ｂ素材にこれを広範囲に張りつけることができる。【００１５】前記粘着剤３は、アクリル系エマルジョン型の粘着剤を使用することによって、現在の食品衛生法、食品添加物等の規格基準に適合しているので、貼着シールａの使用は広範囲に使用し得ることになる。【００１６】離型紙の表面側に剥離自在の粘着剤を介して更に、その上層にシート体が貼着された多層シートを使用して、該多層シートの最上層のシート体にはキャラクター等の絵柄、文字、記号等の表示部が通常は印刷手段によって表される。各表示部の外郭縁をハーフカットすることにより表示部は貼着シールとしてそれ自体剥離自在となるような各種の贈り物用の包装紙とすることもできる。この場合にでも、それを貰った人が、その包装紙をそのまま捨てることはなく包装紙の表面の貼着シールを自由に使用することができ便利である。
【産業上の利用可能性】
【００１８】離型紙と、絵柄、文字、記号を表示してなるシールシートとを粘着剤を介して貼着せられてなる多層紙により形成されてなる袋体、該袋体の絵柄、文字、記号部分をハーフカットして剥離可能な貼着貼着シールとしたことにより袋体の利用目的が完了した後に、貼着貼着シールを二次的に利用することができるので、資源の有効利用ができることになる。
なお、粘着剤は、アクリル系エマルジョン型の粘着剤を使用することによって、毒性のないと共に接着強度にすぐれた貼着シールを提供することができる。
【図面の簡単な説明】
【００１９】
【図１】袋体の正面図
【図２】袋体の背面図
【図３】貼着シールを捲り操作をおこなっている剥離シール付き袋体の斜視図
【図４】貼着シールを被貼着面に貼付した状態の平面図
【図５】剥離シール付き袋体を構成する多層紙の拡大一部断面図
【図６】貼着シールを被貼着面に貼付した状態の部分断面図
【図７】従来例を示す貼着シールの平面図
【符号の説明】
１．．．．袋体
２．．．．離型紙
３．．．．粘着剤
４．．．  シート体
５．．．  表示部
６．．．  ハーフカット
ａ．．．．貼着シール
ｂ．．．．被貼着面
ｃ．．．．捲り片
【図１】
0003107309.tif 000003
【図２】
0003107309.tif 000004
【図３】
0003107309.tif 000005
【図４】
0003107309.tif 000006
【図５】
0003107309.tif 000007
【図６】
0003107309.tif 000008
【図７】
0003107309.tif 000009
【手続補正書】
【提出日】平成16年8月26日(2004.8.26)
【手続補正１】
【補正対象書類名】明細書
【補正対象項目名】実用新案登録請求の範囲
【補正方法】変更
【補正の内容】
【書類名】  実用新案登録請求の範囲
【請求項１】離型紙と、絵柄、文字、記号を表示してなるシ−ルシ−トとを、粘着剤を介して貼着せられてなる多層紙により袋体を構成し、該袋体の絵柄、文字、記号等の表示部の外郭縁をハ−フカットして剥離可能な貼着シ−ルとしたことを特徴とする剥離シ−ル付き袋体。
【請求項２】粘着剤は、アクリル系エマルジョン型の粘着剤である請求項１記載の剥離シ−ル付き袋体。
【請求項３】袋体は封筒である請求項１記載の剥離シ−ル付き袋体。
【請求項４】袋体はポチ袋である請求項１記載の剥離シ−ル付き袋体。
【請求項５】袋体は保存用の袋である請求項１記載の剥離シ−ル付き袋体。